(57)【要約】【課題】発電領域とこれを囲繞するエッジ領域を備えた燃料電池において、エッジ領域における熱膨張や積層荷重による応力集中を緩和する。【解決手段】複数枚積層して燃料電池スタックＦＳを構成する燃料電池Ｃであって、周囲にフレーム５１を有する膜電極接合体１と、フレーム５１及び膜電極接合体１を挟持する一対のセパレータ２を備え、膜電極接合体１が介在する領域を発電領域Ｇとし、フレーム５１が介在する領域をエッジ領域Ｅとして、セパレータ２のエッジ領域Ｅの剛性が、同セパレータ２の発電領域Ｇの剛性よりも低いものとすることで、エッジ領域Ｅにおける熱膨張や積層荷重による応力集中の緩和を実現した。【選択図】図３
2014093212.tif 000002
【特許請求の範囲】
【請求項１】
複数枚積層して燃料電池スタックを構成する燃料電池であって、
周囲にフレームを有する膜電極接合体と、フレーム及び膜電極接合体を挟持する一対のセパレータを備え、
膜電極接合体が介在する領域を発電領域とし、フレームが介在する領域をエッジ領域として、
セパレータのエッジ領域の剛性が、同セパレータの発電領域の剛性よりも低いことを特徴とする燃料電池。
【請求項２】
前記セパレータが、表裏反転形状を有する金属製板部材であり、
両セパレータのエッジ領域には、フレーム側に開放した凹部と、フレーム側を頂部とした凸部が、凹部同士及び凸部同士を相対向させて配置してあり、
凹部及び凸部のうちの少なくとも凸部の剛性を低くすることで、セパレータのエッジ領域の剛性を同セパレータの発電領域の剛性よりも低くしたことを特徴とする燃料電池。
【請求項３】
凹部及び凸部のうちの少なくとも凸部が、両側に斜辺を有すると共に、斜辺の傾斜角度を発電領域における凹凸加工部の傾斜角度よりも小さくしたことを特徴とする請求項２に記載の燃料電池。
【請求項４】
凹部及び凸部のうちの少なくとも凸部が、両側に斜辺を有すると共に、斜辺の一部を曲成した変形促進部を有していることを特徴とする請求項２又は３に記載の燃料電池。
【請求項５】
凹部及び凸部のうちの少なくとも凸部が、アーチ状を成していることを特徴とする請求項２〜４のいずれか１項に記載の燃料電池。
【請求項６】
凹部とフレームとの間に介装される弾性部材を備えたことを特徴とする請求項２〜５のいずれか１項に記載の燃料電池。
【請求項７】
当該燃料電池を複数枚積層した際に、隣接するセパレータの凸部同士の間に介装される弾性部材を備えたことを特徴とする請求項２〜６のいずれか１項に記載の燃料電池。
【請求項８】
前記弾性部材の剛性が、厚さ方向の負荷に対して線形的な特性を有していることを特徴とする請求項６又は７に記載の燃料電池。
【請求項９】
請求項１〜８のいずれか１項に記載の燃料電池を複数枚積層したことを特徴とする燃料電池スタック。
【請求項１０】
隣接する燃料電池同士の間に、冷却液の流通空間を形成すると共に、
前記流通空間の少なくとも発電領域に対応する範囲に、変位吸収部材が配置してあることを特徴とする請求項９に記載の燃料電池スタック。
【発明の詳細な説明】
【技術分野】
【０００１】
本発明は、複数枚積層して燃料電池スタックを構成する燃料電池、及び燃料電池スタックに関するものである。
【背景技術】
【０００２】
従来において、上記したような燃料電池としては、例えば、特許文献１に記載された燃料電池セパレータを備えたものや、特許文献２に記載されたものがある。特許文献１に記載の燃料電池セパレータは、反応ガス又は冷却媒体の流路を連通多孔質体で形成すると共に、流路を密封するシール材を有し、このシール材と類似又は同一の弾性の物質からなる流路制御片を連通多孔質体の間に形成することで、セパレータ全面にかかる面圧を均一化するものである。
【０００３】
また、特許文献２に記載の燃料電池は、複数枚の燃料電池セルを積層したものである。燃料電池セルは、膜電極接合体の両側に、断面凹凸形状を有する水素極と、同じく断面凹凸形状の排水層を含む酸素極とを備えると共に、水素極及び酸素極との間に水素流路及び酸素流路を夫々形成する平板セパレータを備えている。また、燃料電池は、酸素極側に冷媒流路部を備えている。
【０００４】
冷媒流路部は、２枚の平板セパレータと、その間に挟まれた予圧プレートを備え、両平板セパレータの間を冷却水の流路としている。予圧プレートは、断面波形状を成しており、燃料電池の各構成部品の形状誤差により局所的に生じた荷重を分散することによって、各構成部品に均等な荷重を印加するものである。
【先行技術文献】
【特許文献】
【０００５】
【特許文献１】特開２００９−２５２４６９号公報
【特許文献２】特許第４４３２５１８号公報
【発明の概要】
【発明が解決しようとする課題】
【０００６】
しかしながら、上記したような従来の燃料電池において、特許文献１に記載のものでは、流路を別の部材である連通多孔質体で形成しているので、部品点数が増して構造が複雑になるという問題点がある。また、特許文献２に記載のものでは、膜電極接合体が介在する発電領域には均等が荷重が印加されるものの、反応ガスの流路や冷媒流路部を密封しているエッジ領域に対しては、熱膨張や積層荷重による応力集中を緩和するような対策はとられていなかった。
【０００７】
本発明は、上記従来の状況に鑑みて成されたもので、発電領域とこれを囲繞するエッジ領域を備えた燃料電池において、エッジ領域における熱膨張や積層荷重による応力集中を緩和することができ、燃料電池全域に均等な荷重を付与することが可能な燃料電池及び燃料電池スタックを提供することを目的としている。
【課題を解決するための手段】
【０００８】
本発明の燃料電池は、複数枚積層して燃料電池スタックを構成するものである。この燃料電池は、周囲にフレームを有する膜電極接合体と、フレーム及び膜電極接合体を挟持する一対のセパレータを備え、膜電極接合体が介在する領域を発電領域とし、フレームが介在する領域をエッジ領域としている。そして、燃料電池は、セパレータのエッジ領域の剛性が、同セパレータの発電領域の剛性よりも低い構成としており、上記構成をもって従来の課題を解決するための手段としている。また、本発明の燃料電池スタックは、上記の燃料電池を複数枚積層して成るものである。
【発明の効果】
【０００９】
本発明の燃料電池及び燃料電池スタックによれば、発電領域とこれを囲繞するエッジ領域を備えた燃料電池において、エッジ領域における熱膨張や積層荷重による応力集中を緩和することができ、燃料電池全域に均等な荷重を付与することが可能となる。
【図面の簡単な説明】
【００１０】
【図１】本発明に係わる燃料電池スタックの一実施形態を説明する分解状態の斜視図（Ａ）、及び組立て後を示す斜視図（Ｂ）である。
【図２】図１に示す燃料電池スタックを構成する燃料電池を説明する分解状態の平面図（Ａ）、及び組立て後を示す平面図（Ｂ）である。燃料電池スタックを説明する分解状態の斜視図（Ａ）、及び組立て後を示す斜視図（Ｂ）である。
【図３】図２（Ｂ）中のＡ−Ａ線に基づく燃料電池の断面図である。
【図４】燃料電池スタックの断面図（Ａ）、及び積層方向の変位により生じる応力を説明する断面図（Ｂ）である。
【図５】エッジ領域に応力集中が生じた従来のセパレータを示す断面図（Ａ）、及びエッジ領域に応力集中が生じた本発明のセパレータを示す断面図（Ｂ）である。
【図６】本発明に係る燃料電池の他の実施形態を説明する各々要部の断面図（Ａ）〜（Ｅ）である。
【図７】本発明に係る燃料電池のさらに他の実施形態を説明する断面図である。
【発明を実施するための形態】
【００１１】
図１に示す燃料電池スタックＦＳは、矩形板状を成す燃料電池Ｃの積層体Ｓに対し、積層方向の一端部（図１中で右側端部）に、集電板５４Ａ及びスペーサ５５を介してエンドプレート５６Ａが設けてあると共に、他端部に、集電板５４Ｂを介してエンドプレート５６Ｂが設けてある。また、燃料電池スタックＦＳは、積層体Ｓに対し、燃料電池Ｃの長辺側となる両面（図１中で上下面）に、締結板５７Ａ，５７Ｂが設けてあると共に、短辺側となる両面に、補強板５８Ａ，５８Ｂが設けてある。
【００１２】
そして、燃料電池スタックＦＳは、各締結板５７Ａ，５７Ｂ及び補強板５８Ａ，５８ＢをボルトＢにより両エンドプレート５６Ａ，５６Ｂに連結する。このようにして、燃料電池スタックＦＳは、図１（Ｂ）に示すようなケース一体型構造となり、積層体Ｓをその積層方向に拘束・加圧して個々の燃料電池Ｃに所定の接触面圧を加え、ガスシール性や導電性等を良好に維持する。
【００１３】
燃料電池Ｃは、燃料電池スタックＦＳにおいて単セルとも呼ばれるもので、図２に示すように、周囲にフレーム５１を有する膜電極接合体１と、フレーム５１及び膜電極接合体１を挟持する一対のセパレータ２，２を備えている。
【００１４】
膜電極接合体１は、一般に、ＭＥＡ（Membrane  Electrode Assembly)と呼ばれるものであって、図３に示すように、固体高分子から成る電解質層１Ｂを空気極層１Ｃ（カソード）と燃料極層（アノード）１Ａとで挟持した構造を有している。この膜電極接合体１は、空気極層１Ｃにカソードガス（酸素含有ガス・空気）が供給されると共に、燃料極層１Ａにアノードガス（水素含有ガス）が供給されて、電気化学反応により発電をする。なお、膜電極接合体１としては、空気極層１Ｃと燃料極層１Ａの表面に、カーボンペーパや多孔質体等から成るガス拡散層を備えたものも含まれる。
【００１５】
フレーム５１は、樹脂成形（例えば射出成形）により膜電極接合体１と一体化してあり、この実施形態では、膜電極接合体１を中央にして長方形状を成している。また、フレーム５１は、両端部に、各々三個ずつのマニホールド穴Ｈ１〜Ｈ６が配列してあり、各マニホールド穴群から膜電極接合体１に至る領域がディフューザ部Ｄとなる。このフレーム５１及び両セパレータ２，２は、いずれもほぼ同等の縦横寸法を有する長方形状である。
【００１６】
さらに、フレーム５１は、ディフューザ部Ｄに、円形状の複数の突部５２が縦横に配列してある。これらの突部５２は、膜電極接合体１の経時変化などによって燃料電池Ｃに厚さ方向の変位が生じた際に、セパレータ２，２に接触して反応用ガスの流通空間を維持するものである。
【００１７】
各セパレータ２は、表裏反転形状を有する金属製の板部材であって、例えばステンレス製であり、プレス加工により適宜形状に成形し得る。図示例のセパレータ２は、少なくとも膜電極接合体１に対応する中央部分が断面凹凸形状に形成してある。このセパレータ２は、断面凹凸形状を長辺方向に連続的に有しており、膜電極接合体１との間に、波形の凹部によりアノードガス及びカソードガスのガス流路（図３中の符号３）を形成する。
【００１８】
また、各セパレータ２は、両端部に、フレーム５１の各マニホールド穴Ｈ１〜Ｈ６と同等のマニホールド穴Ｈ１〜Ｈ６を有している。なお、図３に示す燃料電池Ｃでは、カソード側及びアノード側のセパレータ２，２の凹凸が半ピッチずれているが、凹凸が一致している構造でも良い。
【００１９】
上記のフレーム５１及び膜電極接合体１と両セパレータ２，２は、重ね合わせて燃料電池Ｃを構成する。このとき、燃料電池Ｃは、とくに図２（Ｂ）に示すように、中央に、膜電極接合体１の領域である発電領域Ｇを備えている。また、発電領域Ｇの両側に、反応用ガスの供給及び排出を行うマニホールド部Ｍと、各マニホールド部Ｍから発電部Ｇに至る反応用ガスの流通領域であるディフューザ部Ｄを備えている。
【００２０】
上記の燃料電池Ｃは、図３に示すように、膜電極接合体１が介在する領域を上記の如く発電領域Ｇとし、フレーム５１が介在する領域をエッジ領域Ｅとしている。エッジ領域Ｅは、マニホールド部Ｍ及びディフューザ部Ｄを含み、発電領域Ｇを囲繞している。
【００２１】
図２（Ｂ）の左側に示す一方のマニホールド部Ｍにおいて、各マニホールド穴Ｈ１〜Ｈ３は、カソードガス供給用（Ｈ１）、冷却流体供給用（Ｈ２）及びアノードガス供給用（Ｈ３）であり、積層方向に互いに連通して夫々の流路を形成する。また、図２（Ｂ）の右側に示す他方のマニホールド部Ｍにおいて、各マニホールド穴Ｈ４〜Ｈ６は、アノードガス排出用（Ｈ４）、冷却流体排出用（Ｈ５）及びカソードガス排出用（Ｈ６）であり、積層方向に互いに連通して夫々の流路を形成する。なお、供給用と排出用は、一部または全部が逆の位置関係でも良い。
【００２２】
さらに、燃料電池Ｃは、図２に示すように、フレーム５１と各セパレータ２の縁部同士の間や、マニホールド穴Ｈ１〜Ｈ６の周囲であるエッジ領域Ｅに、ガスシールＳＬが設けてある。また、燃料電池Ｃを複数枚積層した状態では、燃料電池Ｃ同士すなわち隣接するセパレータ２同士の間にもガスシールＳＬを設ける。
【００２３】
上記のガスシールＳＬは、個々の層間において、カソードガス、アノードガス及び冷却液の夫々の流通域を気密的に分離すると共に、その層間に所定の流体だけが流れるように、マニホールド穴Ｈ１〜Ｈ６の周縁部の適当な箇所に開口を設ける。
【００２４】
上記構成を備えた燃料電池Ｃは、先述したように、複数枚積層して燃料電池スタックＦＳを構成する。この燃料電池スタックＦＳは、図３に示すように、隣接する燃料電池Ｃ同士の間に、冷却液の流通空間Ｆを形成する。そして、この流通空間４には、少なくとも発電領域Ｇに対応する範囲に、変位吸収部材５が配置してある。
【００２５】
この変位吸収部材５は、薄い金属プレートを素材とし、片持ち梁構造のばね機能部を縦横に配列したものであって、燃料電池Ｃ間のコネクタを兼用すると共に、とくに発電領域Ｇの厚さ方向の変位を吸収する。また、燃料電池スタックＦＳでは、隣接する燃料電池Ｃ同士の間に上記の変位吸収部材５を介装することで、図１に示す積層体Ｓに積層方向の荷重を付与するための手段が不要になる。
【００２６】
ここで、各セパレータ２は、図３に長辺部分の断面（図２Ｂ中のＡ−Ａ線に基づく断面）示すように、エッジ領域Ｅには、フレーム５１側に開放した凹部２Ａと、フレーム５１側を頂部とした凸部２Ｂが、凹部同士及び凸部同士を相対向させて配置してある。凹部２Ａ及び凸部２Ｂは、燃料電池Ｃの長辺に沿って形成してあり、凹部２Ａを面内方向の内側にし且つ凸部２Ｂを外側にして配置してある。
【００２７】
また、各セパレータ２は、先述の如く表裏反転形状であるから、燃料電池Ｃを積層した際には、隣接するセパレータ２の凹部２Ａ同士（底部同士）が接触する。これにより、隣接する燃料電池Ｃ同士の間に形成した冷却液の流通空間Ｆを密封する。さらに、凹部２よりも外側では、燃料電池Ｃを構成する一対のセパレータ２の凸部２Ｂ同士（頂部同士）の間でフレーム５１を挟着保持する。
【００２８】
上記のセパレータ２を備えた燃料電池Ｃは、燃料電池スタックＦＳを構成した際、図４（Ａ）に示すように、集電板５４Ａ，５４Ｂ、エンドプレート５６Ａ，５６Ｂ、締結板（図１の符号５７Ａ，５７Ｂ）及び補強板５８Ａ，５８Ｂで構成される一定寸法のケース内に組み込まれる。このような燃料電池スタックＦＳにおいて、各燃料電池Ｃには、所定の積層荷重や運転時の熱膨張による強制的な負荷が加わり、厚さ方向の変位が生じる。
【００２９】
これに対し、図４に示す燃料電池スタックＦＳは、発電領域Ｇでは、流通空間Ｆに配置した変位吸収部材５により厚さ方向（積層方向）の変位を吸収することができる。ところが、エッジ領域Ｅでは、図４（Ｂ）に示すように、セパレータ２の厚さ方向に変位が生じると、凸部２Ｂの両側で且つ凹部２Ａ同士の接触部分（図中の円で囲んだ部分）に応力集中が発生すると共に、図５（Ａ）に示すようにセパレータ２が歪んだ状態になる。セパレータ２に歪みが生じると、エッジ領域Ｅの密封性が低下するおそれがある。しかし、従来の燃料電池では、エッジ領域における応力集中の対策がとられていなかった。
【００３０】
そこで、本発明の燃料電池Ｃは、セパレータ２のエッジ領域Ｅの剛性が、同セパレータ２の発電領域Ｇの剛性よりも低いものとなっている。より具体的には、燃料電池Ｃは、先述の如く、セパレータ２が、表裏反転形状を有する金属製板部材であると共に、エッジ領域Ｅに凹部２Ａ及び凸部２Ｂを有しており、これらのうちの少なくとも凸部２Ｂの剛性を低くしている。
【００３１】
上記の燃料電池Ｃ及び燃料電池スタックＦＳは、セパレータ２のエッジ領域Ｅが撓み易くなる。具体的には、燃料電池Ｃは、積層荷重や熱膨張の負荷が加わると、図５（Ｂ）に示すように、セパレータ２の凸部２Ｂが、実線から仮想線の状態若しくは仮想線から実線の状態に弾性変形して変位を吸収し、全体的な歪みを防止して応力集中を緩和する。このようにして、燃料電池Ｃ及び燃料電池スタックＦＳは、発電領域Ｇとこれを囲繞するエッジ領域Ｅを備えた構造において、エッジ領域Ｅにおける積層荷重や熱膨張の負荷による応力集中を緩和することができる。
【００３２】
また、上記の燃料電池Ｃ及び燃料電池スタックＦＳは、セパレータ２のエッジ領域Ｅ自体の剛性を低くし、とくに少なくとも凸部２Ｂの剛性を低くすることでエッジ領域Ｅの剛性を低くしているので、それ以外の部品を用いることなく、セパレータ２だけで応力集中を緩和し得るものとなり、製造も容易である。
【００３３】
さらに、上記の燃料電池Ｃ及び燃料電池スタックＦＳは、隣接する燃料電池Ｃ同士の流通空間Ｆに変位吸収部材５が配置してあるので、発電領域Ｇにおける変位吸収部材５の変位吸収機能と、エッジ領域Ｅにおけるセパレータ２の応力緩和機能とが相俟って、燃料電池Ｃ及び燃料電池スタックＦＳの全体に均等な荷重を付与することが可能となる。
【００３４】
図６及び図７は、本発明の燃料電池の他の実施形態を説明する図である。なお、先の実施形態と同一の構成部位は、同一符号を付して詳細な説明を省略する。
【００３５】
燃料電池Ｃを構成するセパレータ２は、図６（Ａ）に示すように、発電領域Ｇに断面凹凸形状を有すると共に、エッジ領域Ｅに凹部２Ａ及び凸部２Ｂを有している。図６（Ａ）は、積層した際に隣接する２枚のセパレータ２を示しており、両セパレータ２の間には流通空間Ｆを示している。また、凹部２Ａ及び凸部２Ｂは、概略台形状を成していて、両側に斜辺を有しており、図示例では、少なくとも凸部２Ｂに剛性を低くするための構成を採用している。
【００３６】
図６（Ｂ）に示す実施形態は、凸部２Ｂの斜辺の傾斜角度θ１を、図６（Ａ）に示す発電領域Ｇの凹凸加工部（断面凹凸形状の部分）の傾斜角度θ２よりも小さくしたものである。なお、凸部２Ｂの斜辺の傾斜角度θ１は、例えば４５度以下とするのが望ましい。このセパレータ２は、積層荷重や熱膨張による負荷が加わると、凸部２Ｂが、斜辺の傾斜角度を変化させるように、実線から仮想線の状態若しくは仮想線から実線の状態に弾性変形して変位を吸収する。
【００３７】
この実施形態のセパレータ２は、凸部２Ｂの斜辺の傾斜角度θ１を設定することで、厚さ方向の変位に対して吸収代が大きくなり、同変位に対して凸部２Ｂが撓み易くなり、エッジ領域Ｅにおける熱膨張や積層荷重による応力集中を緩和することができる。
【００３８】
図６（Ｃ）に示す実施形態は、凸部２Ｂの斜辺に、その一部を表裏方向に曲成した変形促進部２Ｃを有している。このセパレータ２は、積層荷重や熱膨張による負荷が加わると、凸部２Ｂの変形促進部２Ｃが主に変形し、凸部２Ｂ全体としては実線から仮想線の状態若しくは仮想線から実線の状態に弾性変形して変位を吸収する。
【００３９】
この実施形態のセパレータ２は、変形促進部２Ｃを設けることで、厚さ方向の変位に対して吸収代が大きくなり、同変位に対して凸部２Ｂが撓み易くなり、エッジ領域Ｅにおける熱膨張や積層荷重による応力集中を緩和することができる。
【００４０】
図６（Ｄ）に示す実施形態は、凸部２Ｂがアーチ状を成しており、両側に斜辺を有するものとなっている。このセパレータ２は、積層荷重や熱膨張による負荷が加わると、凸部２Ｂが、実線から仮想線の状態若しくは仮想線から実線の状態に弾性変形して変位を吸収する。
【００４１】
この実施形態のセパレータ２は、凸部２Ｂをアーチ状とすることで、厚さ方向の変位に対して吸収代が大きくなり、同変位に対して凸部２Ｂが撓み易くなり、エッジ領域Ｅにおける熱膨張や積層荷重による応力集中を緩和することができる。
【００４２】
図６（Ｅ）に示す実施形態は、凸部２Ｂがアーチ状を成しており、両側に斜辺を有すると共に、斜辺に、その一部を段差状に曲成した変形促進部２Ｃを有している。このセパレータ２は、積層荷重や熱膨張による負荷が加わると、凸部２Ｂの変形促進部２Ｃが主に変形し、凸部２Ｂ全体としては実線から仮想線の状態若しくは仮想線から実線の状態に弾性変形して変位を吸収する。
【００４３】
この実施形態のセパレータ２は、アーチ状を成す凸部２Ｂに変形促進部２Ｃを設けたので、厚さ方向の変位に対して吸収代が大きくなり、同変位に対して凸部２Ｂがより一層撓み易くなり、エッジ領域Ｅにおける熱膨張や積層荷重による応力集中を緩和する効果がより向上する。
【００４４】
図７に示す実施形態は、凹部２Ａとフレーム５１との間に介装される弾性部材６と、燃料電池Ｃを複数枚積層した際に隣接するセパレータ２の凸部２Ｂ同士の間に介装される弾性部材７を備えている。これらの弾性部材６，７は、その剛性が、厚さ方向の負荷に対して線形的な特性を有している。
【００４５】
上記の弾性部材６，７を備えた燃料電池Ｃ及び燃料電池スタックＦＳにあっても、先の各実施形態と同様に、エッジ領域Ｅにおける熱膨張や積層荷重による応力集中を緩和することができ、また、弾性部材６，７の剛性が線形的な特性を有しているので、セパレータ２のエッジ領域Ｅの設計に容易に対処することができる。
【００４６】
なお、本発明に係る燃料電池及び燃料電池スタックは、その構成が上記実施形態のみに限定されるものではなく、本発明の要旨を逸脱しない範囲で構成の細部を適宜変更することが可能である。また、上記各実施形態では、凹部及び凸部のうちの少なくとも凸部の剛性を低くした場合を例示したが、凹部に剛性を低減させる構成を設けることも可能である。ただし、図示例のように隣接するセパレータの凹部同士の間で冷却液の流通空間を密封する構造では、高いシール性を維持するために凸部のみに剛性を低減させる構成を設ければ、シール性の確保と応力集中緩和の両立を実現することができる。
【符号の説明】
【００４７】
Ｃ    燃料電池
Ｅ    エッジ領域
Ｇ    発電領域
Ｆ    流通空間
ＦＳ  燃料電池スタック
１    膜電極接合体
２    セパレータ
２Ａ  凹部
２Ｂ  凸部
２Ｃ  変形促進部
５    変位吸収部材
６    弾性部材
７    弾性部材
５１  フレーム
【図１】
2014093212.tif 000003
【図２】
2014093212.tif 000004
【図３】
2014093212.tif 000005
【図４】
2014093212.tif 000006
【図５】
2014093212.tif 000007
【図６】
2014093212.tif 000008
【図７】
2014093212.tif 000009